(57)【要約】【課題】一本の筆記具を縦方向に自立させて保持させるための用具としての、安価で趣味性に富む筆記具の自立装置を提供する。【解決手段】軸部２と、軸部２の下端外周に形成された固定部３と、軸部２の外周に軸線方向に沿って摺動自在に設けられるリング状の可動部４と、可動部４と固定部３との間に放射方向に拡縮自在として取り付けられている複数の脚部５と、を備え、可動部４を固定部３の上方に移動した時に、各脚部５は軸部２の外周に沿って平行に収納され、可動部４を下端の固定部３側に摺動操作した時には、脚部５の下部側が机上面など設置面に対し放射状に広がるように変形して設置面に自立可能とした。【選択図】      図１
2010083105.tif 000002
【特許請求の範囲】
【請求項１】
軸部と、軸部の下端外周に形成された固定部と、軸部の外周に軸線方向に沿って摺動自在に設けられるリング状の可動部と、可動部と固定部との間に放射方向に拡縮自在として取り付けられている複数の脚部と、を備え、可動部が固定部の上方に移動された時に、各脚部は軸部の外周に沿って収納され、可動部が固定部側に摺動操作された時には、脚部の下部側が設置面に対し放射状に広がるように変形して設置面に自立可能とされることを特徴とする筆記具の自立装置。
【請求項２】
前記軸部が、筆記具本体が挿入保持される筒状の部材であることを特徴とする請求項１に記載の筆記具の自立装置。
【請求項３】
前記軸部が、筆記具本体の外周に一体的に設けられていることを特徴とする請求項１に記載の筆記具の自立装置。
【請求項４】
前記各脚部は、全体が可撓性を有していることを特徴とする請求項１乃至３のいずれかに記載の筆記具の自立装置。
【請求項５】
前記脚部は、剛性を有するとともに、その中間部に折曲可能なヒンジ部を備えたことを特徴とする請求項１乃至３のいずれかに記載の筆記具の自立装置。
【請求項６】
前記可動部が前記固定部側に摺動操作された時に、前記脚部の中間部のヒンジ部が下方に突出するように折れ曲がって設置面に設置されるようにしたことを特徴とする請求項１乃至５のいずれかに記載の筆記具の自立装置。
【発明の詳細な説明】
【技術分野】
【０００１】
本発明は、サインペン、マーカーペン、ボールペンなど各種筆記具を自立状態で保持させる筆記具の自立装置に関する。
【背景技術】
【０００２】
各種筆記具を自立状態で収納させるためには、一般に、多数の筆記具を筒状のケースに挿入して保持させるようにしているが、一本のボールペンなどの筆記具を自立状態で保持させる用具としての筆記具の自立装置は、実用化されていない。
【０００３】
他方、下記特許文献１には、ペンのキャップにスタンド的要素を持たせた装置が示されている。
【特許文献１】特開２００３−３４１２８４号公報
【発明の開示】
【発明が解決しようとする課題】
【０００４】
しかし、特許文献１の構造では、ペンを横向きにして机など設置面に保持させる構造であって、一本の筆記具を縦方向にして自立させるものではない。
【０００５】
そこで、本発明は、一本のサインペン、マーカーペン、ボールペンなど各種筆記具を縦方向に自立させて保持させるための用具としての、安価で趣味性に富む筆記具の自立装置を提供することを目的とするものである。
【課題を解決するための手段】
【０００６】
前記目的を達成するため、本発明に係る筆記具の自立装置は、図の実施の形態にも示すように、軸部２と、軸部２の下端外周に形成された固定部３と、軸部２の外周に軸線方向に沿って摺動自在に設けられるリング状の可動部４と、可動部４と固定部３との間に放射方向に拡縮自在として取り付けられている複数の脚部５と、を備えている。脚部５は、３本以上複数本の脚部３が等間隔放射状に設けられる。
【０００７】
本発明の筆記具の自立装置では、可動部４が固定部３の上方に移動された時に、各脚部５は軸部２の外周に沿って平行に収納され、可動部４が下端の固定部３側に摺動操作された時には、脚部５の下部側が机上面など設置面に対し放射状に広がるように変形して設置面に自立可能とされることを特徴としている。
【０００８】
請求項２の発明では、前記軸部２は、筆記具本体１が挿入保持される筒状の部材であることを特徴とする。
軸部２は、有底筒状であって、筆記具本体１を保持するキャップ状であってもよい。また、軸部２は、上下に貫通する筒状であり、筆記具本体１の下部外周に密着して保持される構成であっても良い。
【０００９】
請求項３の発明では、前記軸部２（１２）は、筆記具本体１の下部外周に一体的に設けられていることを特徴としている。
軸部２（１２）は、筆記具本体１とは別の部材により形成され、筆記具本体１の下部外周に密着して形成されていても良い。また、筆記具本体１の下部が軸部２（１２）の一部を形成していても良い。
【００１０】
請求項４では、前記各脚部５は、全体が可撓性を有していることを特徴とする。この場合、各脚部５をバネ板により形成させることができる。
【００１１】
請求項５では、前記脚部５は、剛性を有するとともに、その中間部に折曲可能なヒンジ部５ａを備えたことを特徴とする。
【００１２】
請求項６では、図３及び図４の第２実施形態に示すように、可動部１４が固定部１３側に摺動操作された時に、脚部１５の中間部のヒンジ部１５ａが下方に突出するように折れ曲がって設置面に設置されるようにしたことを特徴とする。
脚部１５の上記ヒンジ部１５ａが下方に突出して設置面に設置された時に、ペン先１ａと設置面との間に隙間が形成されるようにしても良い。また、ペン先１ａが設置面に接触自在としても良い。
【発明の効果】
【００１３】
本発明によると、筆記具を放射状に広がる複数の脚部で支持するものであり、またその開脚率も大きく設定できるため、自立安定性に富む。また、開脚した状態では、恰も花びらのような外観となり、アイキャッチ効果が得られるので、プレミアム景品などとして好適なものとなる。
【００１４】
請求項２の発明では、フェルトペンやボールペンのような筆記具本体を、筒状とした軸部に差し込んで使用でき、汎用性がある。
筒状軸部は、筆記具本体の外形に併せて、円筒形、多角筒形、楕円形などの変形筒状とすることができる。
また、軸部を有底筒状のキャップ状部材によって形成させることにより、ペン先に気密性が確保でき、且つ、ペン先が常に下向きとなってインキが供給されることから、例えばマーカや筆ペンなどのファイバーチップペンにおいては、溶剤の揮発による乾燥を防止し、自立状態に保持しておくことにより常時最適な状態に保持することができる。
【００１５】
請求項４の発明では、脚部を展開した状態で、バネ性が生じ、自立状態での安全性が高まる。また、そのバネ性により筆記具が揺れて玩具的な面白さを得ることができる。
【００１６】
請求項５の発明では、各脚部の中間にヒンジ部を設定することにより開脚率を定めることができる。また、ヒンジ部から下の各脚部の下面が、設置面に放射状に設置され、自立安定性が向上する。
【００１７】
請求項６記載の発明では、インクジェットペンに応用すると、ペン先と印字紙との間隔を最適な状態に保持するこができ、脚部間の隙間から印字確認ができる効果が得られる。また、ペン先を描画位置に保持したまま、脚部を押し下げ、元の上部位置に戻すことにより、描画を終えた時点で描画位置からペン先を離間でき、文字やイラストなどの確認や、作業の一時中断状態におけるペン先保持に好適である。
【発明を実施するための最良の形態】
【００１８】
図１、図２は本発明に係る筆記具の自立装置の第１実施形態を示し、図１は全体の斜視図、図２（ａ）（ｂ）（ｃ）は使用手順を示す側面図である。
【００１９】
図１に示すように、この筆記具の自立装置は、筆記具本体１のペン先１ａが挿入保持されるキャップとなる有底筒形又は貫通筒形の軸部２と、軸部２の外周に軸線方向に沿って摺動自在に設けられるリング状の可動部４とを備え、可動部４と軸部２の下端外周の固定部３との間は、複数本の脚部５により連結されている。
【００２０】
各脚部５は、複数本（３本以上、図では８本）の細板片よりなり、等間隔且つ放射上に設けられ、その上下両端部が、その内面に形成された薄肉ヒンジ部５ａ（図１のＡ部拡大図参照）を介して、折り畳み展開可能に上記可動部４と固定部３とに結合されて設けられている。また、各脚部５の中間位置には同じく薄肉ヒンジ５ａ（図１のＢ部拡大図参照）を介して外側に向けてくの字形に折り曲げ可能とされている。
【００２１】
従って、各脚部５の不要時には、図２（ａ）に示すように、可動部４を軸部２に沿って上位置に位置させることにより、各脚部５は軸部２の外周に直線状をなして添設された状態にある。この状態から各脚部５を展開するには、単に可動部４を手でもって下降操作することにより、図２（ｂ）に示す、中折れ状態を経て、図１および図２（ｃ）に示すように、各脚部５の下部側の下面が設置面Ｓに水平設置され、脚部５が放射状に斜めの開脚状態となって軸部２を垂直状態に支持することになる。この状態で軸部２に筆記具本体１を差込み嵌合することにより、筆記具を立設状態に安定支持できる。この状態では、インクがペン先１ａにあり、筆記具本体１を取り出して書き始めから最適な書き味を得ることになる。また脚部５が開脚した状態では、恰も菊花の花びらが開いたような外観となるため、そのアイキャッチ効果により、例えばプレミアム景品などの用途としても好適な効果が得られる。
【００２２】
なお、軸部２の縦（軸方向）寸法により脚部５の全長は定まるので、脚部５の中間に形成されるヒンジ部５ａの位置により各脚部５の開脚角度が設定される。
【００２３】
前記脚部５を撓曲可能なバネ部材で構成し、特にヒンジなどを設けなくてもよい。この場合には可動部４の軸方向移動位置に応じてその開脚率を自由に設定でき、かつバネ弾性により、立設状態に支持されるため、さらに自立安定性を向上できる。また、開脚状態の形状が略Ｕ形の曲線的となるため、さらに花びらの形状のリアル感が増し、また設置状態でバネ弾性により揺れるため、視覚的な玩具的要素も加味される。
【００２４】
次に図３，図４（ａ），（ｂ）は、本発明の第２実施形態を示す。
第２実施形態は、本発明をボールペンやインクジェトペンなど、特にキャップを必要としない筆記用具のボディ先端に適用した場合のものである。第２実施形態では、軸部１２を筆記具本体１の外周に一体化させたもので、そのペン先１ａ位置近傍の円錐形の肩部に複数の脚部１５の下端が一体的にヒンジ結合されているとともに、軸部１２の上部側外周には可動部１４が上下方向に移動可能に嵌合されている。可動部１４には、脚部１５の上端が一体的にヒンジ結合されている。また、各脚部１５の中間位置には互いに外側に向けて屈曲可能なヒンジ部１５ａが形成されいる。ヒンジ部１５ａは、その自立状態において、下方に突出するように折れ曲がって、設置面上に設置されている。
【００２５】
第２実施形態において、脚部１５によって筆記具本体１を支持するには、図示のごとく、脚部１５の中間ヒンジ部１５ａが、下方に突出するように三角形状となる折曲位置まで可動部４を下降させておくことによって、ペン先１ａが設置面に接触することなく、設置面と隙間を空けて垂直状態を保って設置面Ｓ上に設置することができ、インクジェットによる印字をなすことができる。また、各脚部１５の間から印字が透視可能となる。
【００２６】
なお、設置面Ｓが描画面であった場合には、描画を一時中断した状態で、図４（ｂ）に示すように、可動リング１４を下降させることにより、直接的に印字でき、図４（ａ）に示すように、相対的にペン先１ａを描画面から離間させ、その最終状態のままに保持されるため、作業を一時中断した状態で描画面の状態などを確認したり、その後に作業を継続する時に中断位置の確認に好適となる。
【００２７】
上記第１又は第２実施形態においては、筒状軸部の先端あるいは筆記用具本体のボディのペン先近傍に形成した固定部に直接各脚部の先端を一体にヒンジ結合した例を示したが、筒状軸部の先端あるいは筆記用具本体のボディのペン先近傍に固定リングを設け、この固定リングを固定部としてその外周に予め各脚部の先端を一体にヒンジ結合させた構成とすることができる。
また、上記各実施形態では、本発明の自立装置を、手書き作業用の筆記具に適用したが、例えば自動描画器のプロッタなどの支持機構としても利用することができる。
【図面の簡単な説明】
【００２８】
【図１】本発明の第１実施例を示す斜視図である。
【図２】（ａ）〜（ｃ）は同操作手順を示す側面図である。
【図３】本発明の第２実施形態を示す斜視図である。
【図４】（ａ），（ｂ）は同操作状態を示す側面図である。
【符号の説明】
【００２９】
１  筆記具本体
１ａ  ペン先
２，１２  軸部
３，１３  固定部
４，１４  可動部
５，１５  脚部
５ａ，１５ａ  ヒンジ部
Ｓ  設置面
【図１】
2010083105.tif 000003
【図２】
2010083105.tif 000004
【図３】
2010083105.tif 000005
【図４】
2010083105.tif 000006